(57)【特許請求の範囲】
【請求項１】
キーケース本体が、中央片と、この中央片の左端に連続する左折返し片及び右端に連続する右折返し片とから成り、かつ左折返し片の内側上に左折返し台片を、右折返し片の内側上に右折返し台片をそれぞれ固着し、なおかつ左折返し片と右折返し台片、若しくは左折返し台片と右折返し片に開閉部材を固着している、三つ折型のキーケース本体において、中央片の内側上に、中央左台片と中央右台片を左右に並べて固着した事により、中央片が中央左台片と中央右台片との間から縦方向に沿って容易に山折に折れ曲がる構造を設け、かつこの中央左台片と中央右台片の間を跨ぐ事なく、中央左台片及び中央右台片それぞれに、鍵の吊り下げ部材を固着している事を特徴とする、片手用キーケース。
【請求項２】
請求項１の片手用キーケースにおいて、鍵の吊り下げ部材として回転式キーホルダーを用い、かつこれを中央左台片と中央右台片にそれぞれ固着した事を特徴とする、片手用キーケース。
【請求項３】
キーケース本体が、中央片と、この中央片の左端に連続する左折返し片及び右端に連続する右折返し片とから成り、かつ外装材と内装材とを貼り合わせたキーケース本体であり、なおかつ左折返し片及び右折返し片に開閉部材を固着している、三つ折型のキーケース本体において、中央片を縦方向に沿って三つの帯状部分に分け、それらを、中央片左帯部、中央片中帯部、中央片右帯部とし、中央片の上端部、下端部、左折返し片、及び右折返し片は、外装材と内装材とを強く接着して一体化させ、上端部及び下端部以外の中央片は、中央片中帯部の外装材と内装材に対して、接着しない、中央片左帯部及び中央片右帯部に使用する接着剤よりも高い柔軟性を維持する接着剤を使用する、皮革用の柔軟剤を使う、厚さを薄くする、型押しを施す、中央片左帯部及び中央片右帯部の外装材と内装材に対しては、皮革用の硬化剤を使用する、補強材として、天然皮革、合成皮革、合成樹脂、合成繊維、金属のプレート等を挟む、以上の７つの方法の内から一つ又は複数を組み合わせて行い、中央片中帯部の硬さを、中央片左帯部及び中央片右帯部よりも柔らかくする事により、中央片の内側面が中央片中帯部から縦方向に沿って容易に山折に折れ曲がる構造を設け、なおかつ中央片の内側面の、中央片左帯部と中央片右帯部それぞれに、回転式キーホルダー若しくはその他の鍵の吊り下げ部材を固着している事を特徴とする、片手用キーケース。
【請求項４】
キーケース本体が、中央片と、この中央片の左端に連続する左折返し片及び右端に連続する右折返し片とから成り、かつ左折返し片の内側上に左折返し台片を、右折返し片の内側上に右折返し台片をそれぞれ固着し、なおかつ左折返し片と右折返し台片、若しくは左折返し台片と右折返し片に、開閉部材を固着している三つ折型のキーケース本体において、中央片の内側上に中央台片を固着し、この中央台片の中央部を、縦方向に沿って線状に切り込むか、或いは部分的に切り抜く事によって、中央台片が中央部から縦方向に沿って容易に山折に折れ曲がる構造を設け、なおかつこの中央台片上の左右部分それぞれに、回転式キーホルダー若しくはその他の鍵の吊り下げ部材を固着している事を特徴とする、片手用キーケース。
【請求項５】
回転式キーホルダーの円周付近に円周穴を貫通し、この回転式キーホルダーの中心穴を貫通した中心軸と共に、円周穴を貫通した円周軸を用いて、請求項１の片手用キーケース、請求項３の片手用キーケース、又は、請求項４の片手用キーケースの内のいずれか一つの本体に固着する事を特徴とする、二軸型回転式キーホルダー。
【請求項６】
請求項１の片手用キーケース、請求項３の片手用キーケース、又は、請求項４の片手用キーケースの内のいずれか一つにおいて、鍵の吊り下げ部材が回転式キーホルダーであり、かつ、回転式キーホルダーの一方または両方が、請求項５の二軸型回転式キーホルダーである事を特徴とする、片手用キーケース。
【発明の詳細な説明】
【技術分野】
【０００１】
本発明は、キーケースに関するものである。
【背景技術】
【０００２】
従来のキーケースには、キーケース本体が、中央片と、開閉部材を有する左右の折返し片とから成る、三つ折型の物があった。そして、このキーケース本体の中央片の内側上には、一つの台片が固着し、これに、フックを横一列に取り付けた長方形様の金属製の鍵の吊り下げ部材を固着していた。（例えば、特許文献１参照）【０００３】
また別の三つ折型のキーケースには、フックを横一列に取り付けた鍵の吊り下げ部材を用い、この鍵の吊り下げ部材を固着した数個の台片を、面ファスナーによってキーケース本体に着脱させるものもあった。（例えば、特許文献２参照） 
【特許文献１】実開平０６−０２４５２５号公報（第２頁、図１）
【特許文献２】実開昭５３−０９０５９４号公報（第１頁、図１）
【発明の開示】
【発明が解決しようとする課題】
【０００４】
従来の三つ折型のキーケース、例えば特許文献１のキーケースは、使用者が鍵の束を出し入れする際に、手で左右の折返し片を外側に開放し、また鍵の束を収納する際も、手で左右の折返し片を元通りに閉じていたが、これらの操作を、片手だけで行うのは困難であった。これは片手が不自由な人や、手荷物を持っていて片手が使えない状態の人が使用する場合には不便であった。【０００５】
また、別の三つ折型のキーケース、例えば特許文献２のキーケースの場合は、鍵の吊り下げ部材を固着した台片自体はキーケース本体に固着されていないために、吊り下げた鍵自体の重さと面ファスナーの劣化によって、吊り下げた鍵の束が台片ごと本体から脱落したり紛失したりするおそれがあった。【０００６】
そこで本発明は、上記従来技術の問題点を解決し、鍵の吊り下げ部材を台片ごと本体から脱落させる事なく、かつ本体を掴んでいる片手だけで、キーケース本体の開閉、鍵の束の出し入れ、及び鍵の使用、以上の操作をすべて滑らかに行なう事ができる、片手用キーケースの提供を課題としている。
【課題を解決するための手段】
【０００７】
請求項１の本発明について述べる。  キーケース本体が、中央片と、この中央片の左端に連続する左折返し片及び右端に連続する右折返し片とから成り、かつ左折返し片の内側上に左折返し台片を、右折返し片の内側上に右折返し台片をそれぞれ固着し、なおかつ左折返し片と右折返し台片、若しくは左折返し台片と右折返し片に開閉部材を固着している、三つ折型のキーケース本体において、中央片の内側上に、中央左台片と中央右台片を左右に並べて固着した事により、中央片が中央左台片と中央右台片との間から縦方向に沿って容易に山折に折れ曲がる構造を設け、かつこの中央左台片と中央右台片の間を跨ぐ事なく、中央左台片及び中央右台片それぞれに、鍵の吊り下げ部材を固着して、片手用キーケースを製作する。【０００８】
次に請求項２の本発明について述べる。前記請求項１の片手用キーケースにおいて、中央左台片及び中央右台片それぞれに、鍵の吊り下げ部材として、回転式キーホルダーを固着して、片手用キーケースを製作する。【０００９】
次に請求項３の本発明について述べる。  キーケース本体が、中央片と、この中央片の左端に連続する左折返し片及び右端に連続する右折返し片とから成り、かつ外装材と内装材とを貼り合わせたキーケース本体であり、なおかつ左折返し片及び右折返し片に開閉部材を固着している、三つ折型のキーケース本体において、中央片を縦方向に沿って三つの帯状部分に分け、それらを、中央片左帯部、中央片中帯部、中央片右帯部とし、中央片の上端部と下端部、左折返し片、及び右折返し片は、その外装材と内装材とを強く接着して一体化させ、上端部及び下端部以外の中央片は、中央片中帯部の外装材と内装材に対して、接着しない、中央片左帯部及び中央片右帯部に使用する接着剤よりも高い柔軟性を維持する接着剤を使用する、皮革用の柔軟剤を使う、厚さを薄くする、型押しを施す、中央片左帯部及び中央片右帯部の外装材と内装材に対しては、皮革用の硬化剤を使用する、補強材として、天然皮革、合成皮革、合成樹脂、合成繊維、金属のプレート等を挟む、以上の７つの方法の内から一つ又は複数を組み合わせて行い、中央片中帯部の硬さを、中央片左帯部及び中央片右帯部よりも柔らかくする事により、中央片の内側面が中央片中帯部から縦方向に沿って容易に山折に折れ曲がる構造を設け、なおかつ中央片の内側面の、中央片左帯部と中央片右帯部それぞれに、回転式キーホルダー若しくはその他の鍵の吊り下げ部材を固着して、片手用キーケースを製作する。【００１０】
次に請求項４の本発明について述べる。キーケース本体が、中央片と、この中央片の左端に連続する左折返し片及び右端に連続する右折返し片とから成り、かつ左折返し片の内側上に左折返し台片を、右折返し片の内側上に右折返し台片をそれぞれ固着し、なおかつ左折返し片と右折返し台片、若しくは左折返し台片と右折返し片に開閉部材を固着している、三つ折型のキーケース本体において、中央片の内側上に中央台片を固着し、この中央台片の中央部を、縦方向に沿って線状に切り込むか、或いは部分的に切り抜く事によって、中央台片が中央部から縦方向に沿って容易に山折に折れ曲がる構造を設け、なおかつこの中央台片上の左右部分それぞれに、回転式キーホルダー若しくはその他の鍵の吊り下げ部材を固着して、片手用キーケースを製作する。【００１１】
次に請求項５の本発明について述べる。回転式キーホルダーにおいて、円周付近に貫通した穴を設けこれを円周穴とし、かつ中心穴を貫通させる中心軸と共に、円周穴を貫通させる円周軸を用いて、二軸型回転式キーホルダーを製作する。
【００１２】
次に請求項６の本発明について述べる。請求項１の片手用キーケース、請求項３の片手用キーケース、及び、請求項４の片手用キーケースにおいて、鍵の吊り下げ部材として回転式キーホルダーを固着し、かつこの回転式キーホルダーの一方または両方が、請求項５の二軸型回転式キーホルダーである、片手用キーケースを製作する。
【発明の効果】
【００１３】
本発明は、請求項１において、キーケース本体の中央片の内側上に、中央左台片と中央右台片を左右に並べて固着し、かつ鍵の吊り下げ部材を、中央左台片と中央右台片の間を跨ぐ事なく固着している。これにより、中央片がこの中央左台片と中央右台片との間から、縦方向に沿って容易に山折に折れ曲がる構造となっている。
そして本発明の新規性には、現在最も一般的に普及している背景技術である特許文献１のキーケースが大きく関係している。
なぜなら、従来のこの種の三つ折型のキーケースの中央片部分には、硬い金属製の長方形様の鍵の吊り下げ部材が横に広く跨って固着していたため、この部分を縦方向に沿って山折りにするという発想自体が奇抜なものであり、思いつきにくかったからだ。
これは背景技術である特許文献２のキーケースに関しても、充分に当てはまる。このキーケースは使用する台片の数は、数個であると記載され、つまり二つとは限定されておらず、本発明のごとく中央片を外側に二つ折りにする発想自体がそもそも存在していないからである。
さらに本発明の片手用キーケースにおいては、鍵の吊り下げ部材をキーケース本体に台片ごと固着したため、特許文献２のキーケースのように、吊り下げた鍵自体の重さと面ファスナーの劣化によって、キーケース本体から台片ごと鍵の束を脱落させて鍵を紛失するという可能性はない。【００１４】
これらの工夫によって、このキーケースを開く際は、例えば右手でキーケース本体を掴んだまま、その開閉部材を右手の指で開放し、続いてそのまま右手の人差し指で中央片を背面から軽く押すだけで、中央片を容易に二つに折り曲げて、左折返し片と右折返し片を開くことができる。この際、同時にキーケース本体の横幅も狭くなり、これはキーケース本体をより掴みやすくするという相乗効果ももたらす。すなわち、キーケース本体の形状が図５に示す状態から図６に示す状態へと変化するのである。これらの効果は、キーケース本体からの鍵の束のとり出し、鍵の使用、キーケース本体への鍵の束の収納、及びキーケースを閉じる操作すべてを、このキーケース本体を掴んでいる片手だけで容易に行う事を可能にしている。  【００１５】
そして請求項２のキーケースには、次の効果もある。すなわち、鍵の束を出し入れする際、回転式キーホルダーの中心付近の位置を、キーケース本体の左右の折返し片の外側から二つ折りにして掴んでおけば、そのまま前後方向に傾ける事により、内部の鍵の束の通りを妨げることなく、滑らかに鍵の束の出し入れ操作を行う事ができる。
これは、図７に示した請求項１のキーケースを操作する場合と比較して、鍵の束を出し入れする際の鍵同士のばらつきや、キーケース本体を掴んでいる指による外側からの圧迫がもたらす、鍵の束の通りづらさを、より軽減する効果がある。【００１６】
また特許文献１、特許文献２、及び図７に示した請求項１の場合、キーケースを逆さにして振ると、鍵をつけていないフック金具や鍵の束がキーケースの上部から露出してしまう可能性がある。
これに対して本発明においては、二つの回転式キーホルダーをお互い隣りあわせの位置に固着しているために、キーケース本体を閉じた状態では、二つの回転式キーホルダーの円形部分の間が非常に狭くなり、この事がお互い相手のフック金具の自由な回転を阻止する効果を発揮し、鍵をつけていないフック金具や鍵の束が、キーケース本体の上部から露出してしまう事を防いでいる。これはキーケースの携帯時の、激しい動きなどにも対処できて便利である。【００１７】
さらに請求項３のキーケースは、請求項１及び請求項２と比べて、よりすぐれた効果を有する。請求項１及び請求項２のキーケースには、中央左台片と中央右台片との間に縦方向の隙間が存在し、これらのキーケース本体を二つ折りにした際には、その隙間はさらに広がり段差となり、この段差となった隙間部分の縁に鍵の先端部分もしくは側面部分が引っかかり、鍵の収納操作を妨げる場合があった。
しかし請求項３のキーケースにおいては、その隙間部分自体が存在しないので、この部分に鍵が引っかかる事がなくなった。これは第一の効果である。
またこの事は第二の効果としてコバの仕上げを容易にもしている。従来、キーケースのコバの仕上げには、水、ワックス、コバ用の仕上げ剤などを塗る方法やその後さらに磨き上げる方法、外装材を内側へ折り返して縫い付けるへり返しと呼ばれる方法等があった。しかし請求項１及び請求項２のコバを仕上げる場合は、中央片の上端部分及び下端部分のコバを仕上る際に、中央左台片と中央右台片との間に縦方向の隙間があるために、水、ワックス、コバ用の仕上げ剤などがコバから内側の隙間へとはみ出さないように注意して塗る必要があった。特に着色も兼ねて仕上げ剤を用いる場合は、色がコバ以外の部分まではみ出ると、見栄えが悪くなるので気をつける必要があった。また、コバを磨き上げる際にも、中央左台片及び中央右台片の縁や角が潰れないように手加減する必要があり、これらの作業には手間と時間がかかっていた。へり返しを行う場合も、この隙間部分に段差があるために、縫い糸を通す穴を開ける位置が制限されていた。
しかし請求項３のキーケースにはこの様な段差が存在しないため、コバの仕上げが容易なのである。【００１８】
この第二の効果は、請求項４のキーケースも有している。請求項４では中央台片を用いており、請求項１及び請求項２の様な段差が存在しないため、これはコバの仕上げを容易にしているのである。【００１９】
請求項５の二軸型回転式キーホルダーは、従来の回転式キーホルダーに対して、新たに円周穴を設け、この円周穴を貫通させる円周軸を用いている。そしてこの円周穴を貫通させた円周軸自体が、フック金具及びリング金具のストッパーとして機能すると同時に、二軸型回転式キーホルダーをキーケース本体に固着する機能をも有し、まさに一石二鳥の効果を発揮している。すなわち二軸型回転式キーホルダーという、ストッパー付きの回転式キーホルダーを、この様に容易な製造方法によって実現しているのである。【００２０】
請求項６において、ニ軸型回転式キーホルダーは、これを中央片上の左側に固着した場合は、そのリング金具を時計回りの方向に回転させ、また中央片上の右側に固着した場合は、そのリング金具を反時計回りに回転させて、それらを外部に露出させたままキーケース本体を閉じることにより、このリング金具に吊り下げた鍵を、常時キーケース本体の外部に露出させて携帯する事を可能にしている。図２０には、中央片２ｘ上の中央片左帯部２ｃに固着したニ軸型回転式キーホルダー７ｃの、そのリング金具７ｃ８を、キーケース本体１ｘの外部に露出させた場合を示した。
そしてこれには次の様な効果がある。
すなわちキーケース内部の鍵を使用する際や、それら内部の鍵の収納操作を行う際に、たとえキーケース本体を前後方向に傾けて激しく動かしても、このリング金具に吊り下げた外部の鍵は、図２１に示したごとき形状のキーケース本体の平面上を、旋回しながら通るだけで、キーケース本体内部へと混入して他の鍵の収納操作を妨げる事が無い。
これは、片手が不自由な人や、手荷物を持っていて片手が自由に使えない状態の人にとって、次のような場面で便利である。
それは、例えば外出時に自宅の鍵を使用しキーケースを閉じた後、引き続き車の鍵を使用する場合や、逆に車で帰宅時に車の鍵を使用し引き続き、自宅の鍵を使用するという場合に便利である。なぜならキーケース本体１の上端から露出させて鍵を吊り下げておけば、最初にキーケースを使用した後に、キーケース本体を掴んでいる位置を、そのまま少しずらすだけで、引き続き次の鍵の使用の準備ができるからである。これは、キーケース本体の下端部に鍵の吊り下げ部材を設けて、そこに鍵を吊り下げる場合と比べても、より便利である。この様にリモコン付きの車の鍵等、大きすぎてキーケース内部への収納が困難な鍵なども、キーケース本体と繋いで一所に携帯しておく事を可能にしている。
【図面の簡単な説明】
【００２１】
【図１】請求項２の片手用キーケースの開いた状態を示す正面図である。
【図２】請求項２の片手用キーケースの開いた状態を示す背面図である。
【図３】請求項２の片手用キーケースの開いた状態を示す平面図である。
【図４】請求項２の片手用キーケースの閉じた状態を示す正面図である。
【図５】請求項２の片手用キーケースの閉じた状態を示す平面図である。
【図６】請求項２の片手用キーケースの中央片２を二つ折りにした状態を示す平面図である。
【図７】請求項１の片手用キーケースの開いた状態を示す正面図である。
【図８】請求項３の片手用キーケースの開いた状態を示す正面図である。
【図９】請求項３の片手用キーケースの開いた状態を示す平面図である。
【図１０】請求項３の片手用キーケースの構造を、図８を透過的に描くことによって表した説明図である。
【図１１】請求項４の片手用キーケースの開いた状態を示す正面図である。
【図１２】請求項４の片手用キーケースの開いた状態を示す平面図である。
【図１３】請求項５のニ軸型回転式キーホルダー７ｃの構成部材を示す図である。
【図１４】請求項２に関連する請求項６の片手用キーケースの開いた状態を示す正面図である。
【図１５】請求項２に関連する請求項６の片手用キーケースの開いた状態を示す平面図である。
【図１６】請求項３に関連する請求項６の片手用キーケースの開いた状態を示す正面図である。
【図１７】請求項３に関連する請求項６の片手用キーケースの開いた状態を示す平面図である。
【図１８】請求項４に関連する請求項６の片手用キーケースの開いた状態を示す正面図である。
【図１９】請求項４に関連する請求項６の片手用キーケースの開いた状態を示す平面図である。
【図２０】本発明の請求項６の片手用キーケースの使用の状態を示す説明図である。
【図２１】請求項６のキーケース本体１ｘの中央片２ｘを二つ折りにした状態を示す平面図である。
【図２２】回転式キーホルダー本体７ｃ１のみを平面図にて描いた略図である。
【図２３】本発明の請求項６の片手用キーケースにおいて、ニ軸型回転式キーホルダーの固着工程を示す工程図である。
【図２４】請求項３のキーケース本体１ｘの外装材１ｙの加工工程を示す斜視図である。
【発明を実施するための形態】
【００２２】
はじめに請求項２の本発明の実施の形態について述べる。
図面を使って本発明の実施の形態を説明する。図１、図２、図３及び図４において、キーケース本体１の中央片２の内側上には中央左台片２ａと中央右台片２ｂを、左折返し片３の内側上には左折返し台片３ａを、右折返し片４の内側上には右折返し台片４ａを、それぞれ接着剤と縫い糸５によって固着している。そして開閉部材として、左折返し片３にバネホック６ａ２を、右折返し台片４aにバネホック６ａ１を、それぞれ固着している。
【００２３】
キーケース本体１は、中央左台片２ａと中央右台片２ｂに、鍵の吊り下げ部材として、それぞれ回転式キーホルダー７ｂをカシメ金具７ｃ４及びカシメ金具７ｃ５によって固着している。以上が請求項２の本発明の実施の形態である。
【００２４】
次に請求項１の本発明の実施の形態について述べる。
図７に示すとおり、請求項２のキーケース本体１を用いて、中央左台片２ａと中央右台片２ｂに、鍵の吊り下げ部材として、それぞれ四角型鍵の吊り下げ部材７ａをカシメ金具７ａ２及び７ａ３で固着している。
以上が請求項１の本発明の実施の形態である。
【００２５】
次に請求項３の本発明の実施の形態について述べる。
図８、図９、及び図１０において、キーケース本体１ｘは外装材１ｙと内装材１ｚとを接着剤で貼り合わせ、縫い糸５によって縫い合わせたものである。このキーケース本体１ｘは、中央片２ｘと、中央片２ｘの左端に連続する左折返し片３ｘ及び右端に連続する右折返し片４ｘより成り、中央片２ｘは、縦方向に沿った三つの帯状部分である、中央片左帯部２ｃ、中央片中帯部２ｄ、及び中央片右帯部２ｅより構成されている。また中央片２ｘの上端部２ｘ１、下端部２ｘ２、左折返し片３ｘ、及び右折返し片４ｘは、外装材１ｙと内装材１ｚとを強く接着して一体化させているが、この時に使用する接着剤は、酢酸ビニル樹脂エマルジョン接着剤等の水分散系接着剤や、クロロプレンゴム系接着剤等の合成ゴム系接着剤が、最も適している。そして上端部２ｘ１及び下端部２ｘ２以外の中央片２ｘは、図１０で示したそれぞれの斜線領域において、中央片中帯部２ｄの外装材１ｙと内装材１ｚに対しては、接着しない、中央片左帯部２ｃ及び中央片右帯部２ｅに使用する接着剤よりも高い柔軟性を維持する接着剤を使用する、皮革用の柔軟剤を使用する、厚さを薄くする、素材に型押しを施す、中央片左帯部２ｃ及び中央片右帯部２ｅの外装材１ｙと内装材１ｚに対しては、皮革用の硬化剤を使用する、補強材として、天然皮革、合成皮革、合成樹脂、合成繊維、金属のプレート等を挟む、以上の７つの方法の内から一つ又は複数を組み合わせて行う事により、中央片中帯部２ｄの硬さを、中央片左帯部２ｃ及び中央片右帯部２ｅと比べて相対的に柔らかくして、中央片２ｘの内側面が、中央片中帯部２ｄから縦方向に沿って容易に山折に折れ曲がる構造を設けている。そして開閉部材として、左折返し片３ｘにバネホック６ａ２を、右折返し片４ｘにバネホック６ａ１を、それぞれ固着している。
【００２６】
ここで、中央片中帯部２ｄに対して、中央片左帯部２ｃ及び中央片右帯部２ｅに使用する接着剤よりも高い柔軟性を維持する接着剤を使用する、という方法に関して述べる。
これは、接着剤を、接着後も高い柔軟性を維持する物から順に、例えば、天然ゴム系、クロロプレンゴム系等の合成ゴム系、酢酸ビニル樹脂エマルジョン等の水分散系、という様に並べた場合において、中央片左帯部２ｃ及び中央片右帯部２ｅに合成ゴム系を使用する際は、中央片中帯部２ｄには天然ゴム系を使用し、中央片左帯部２ｃ及び中央片右帯部２ｅに水分散系を使用する際は、中央片中帯部２ｄには天然ゴム系もしくは合成ゴム系を使用するという事である。
【００２７】
また中央片中帯部２ｄに対して、素材の厚さを薄くする方法とは、皮革用の、へり落とし、革そぎ、溝切り、鑢等の工具で削って加工する事である。
【００２８】
左折返し片３ｘと中央片２ｘとの間の折り目部分３ｘ２ｘ、及び右折返し片４ｘと中央片２ｘとの間の折り目部分４ｘ２ｘは、図１０で示したそれぞれの斜線領域において、外装材１ｙと内装材１ｚを削って薄くしている。またこれらの斜線領域は接着しなくてもよい。
【００２９】
そして、中央片左帯部２ｃと中央片右帯部２ｅそれぞれに、鍵の吊り下げ部材として、回転式キーホルダー７ｂを、カシメ金具７ｃ４及びカシメ金具７ｃ５によって固着している。以上が請求項３の本発明の実施の形態である。
【００３０】
次に請求項４の本発明の実施の形態について述べる。
図１１、図１２において、キーケース本体１の中央片２の内側上には中央台片２ｆを、左折返し片３の内側上には左折返し台片３ａを、右折返し片４の内側上には右折返し台片４ａを、それぞれ接着剤と縫い糸５によって固着し、また開閉部材として、左折返し片３にバネホック６ａ１を、右折返し台片４aにバネホック６ａ２を、それぞれ固着している。
中央台片２ｆの中央部は、縦方向に沿って線状の切り込み部分２ｆ１がある。そして中央台片２ｆ上の左右部分それぞれに、鍵の吊り下げ部材として回転式キーホルダー７ｂを、カシメ金具７ｃ４及びカシメ金具７ｃ５によって固着している。以上が請求項４の本発明の実施の形態である。
【００３１】
尚、請求項３及び請求項４の本発明の実施の形態においては、鍵の吊り下げ部材として、それぞれ四角型鍵の吊り下げ部材７ａを固着してもよい。
【００３２】
次に請求項５の本発明の実施の形態について述べる。
図１３において、回転式キーホルダー本体７ｃ１には中心穴７ｃ２と円周穴７ｃ３が貫通している。このニ軸型回転式キーホルダー７ｃは、回転式キーホルダー本体７ｃ１、中心穴７ｃ２を貫通させる中心軸として用いるカシメ金具７ｃ４とカシメ金具７ｃ５、円周穴７ｃ３を貫通させる円周軸として用いるカシメ金具７ｃ６、リング金具７ｃ８、及びフック金具７ｃ９、によって構成されている。ただし、任意の部材としてカシメ金具７ｃ７をこれに加えてもよい。例えば図１４に示すキーケース本体１ｓのニ軸型回転キーホルダー７ｃにおいては、このカシメ金具７ｃ７を用いている。
また、このニ軸型回転式キーホルダー７ｃは、キーケース本体に固着する際に、補助工具として、図２３に示す金属製のＬ型プレート８を使用する。以上が請求項５の本発明の実施の形態である
【００３３】
次に請求項６の本発明の実施の形態について述べる。
図１４、図１５に示す実施の形態は、請求項１のキーケースにおいて、鍵の吊り下げ部材が、回転式キーホルダー７ｂと二軸型回転式キーホルダー７ｃである、請求項６の実施の形態である。このキーケース本体１ｓは、へり返しの手法を用いて、ヘリを折り返し縫い付ける事によりコバの処理を行っている。また開閉順序が左前合わせとなっている。そして、開閉部材として左折返し台片３ａ２にマグネットホック６ｂ１、右折返し片４ｓにマグネットホック６ｂ２を固着している。
【００３４】
図１6、図１７に示す本発明の実施の形態は、請求項３のキーケースにおいて、鍵の吊り下げ部材が、回転式キーホルダー７ｂと二軸型回転式キーホルダー７ｃである、請求項６の実施の形態である。このキーケース本体１ｘのコバは、鑢と鉋によって平らにした後、コバ用の仕上げ剤またはワックスを塗り、磨きこんでいる。そして、開閉部材として左折返し片３ｘ及び右折返し片４ｘに両面マグネット６ｃを内蔵している。これによってこのキーケース本体１ｘは、右前、左前どちらにも閉じ合わせる事が可能である。また中央片２ｘの上端部２ｘ１、下端部２ｘ２、中央片左帯部２ｃ、及び中央片右帯部２ｅは、クロロプレンゴム系の合成ゴム接着剤で接着している。また図１０に示す中央片中帯部２ｄの斜線領域は接着されず、かつ削って厚さを薄く加工している。折り目部分３ｘ２ｘと折り目部分４ｘ２ｘは、図１０で示したそれぞれの斜線領域において、外装材１ｙと内装材１ｚの裏面を削って薄くしており、またこれらの斜線領域は接着していない。
【００３５】
図１８、図１９に示す本実施の形態は、請求項４のキーケースにおいて、鍵の吊り下げ部材が、左右共に二軸型回転式キーホルダー７ｃである、請求項６の実施の形態である。そして中央台片２ｆの中央部には切抜き部分２ｆ２がある。また開閉部材として、左折返し台片３ａ３に面ファスナー６ｄ１を、右折返し片４ｒに面ファスナー６ｄ２を、それぞれ縫い糸５で固着している
【００３６】
尚、請求項６の本発明の実施の形態に共通して、これらのニ軸型回転式キーホルダー７ｃをキーケース本体に固着する時には、中心穴７ｃ２を貫通させたカシメ金具７ｃ４及びカシメ金具７ｃ５を用いると共に、円周穴７ｃ２を貫通させたカシメ金具７ｃ６の足の先端を、上からハンマー等で叩いて潰して固着している。
この際、図２２に示した回転式キーホルダー本体７ｃ１の円周部側面の溝７ｃ１０が、潰れて変形する事を防ぐために、図２３に示すごとく、この円周部側面の溝７ｃ１０の幅と同じ厚さの金属製のＬ型プレート８を、回転式キーホルダー本体７ｃ１の、円周部側面の溝７ｃ１０に挟み込んだ状態で、作業を行っている。なお円周穴７ｃ２を貫通させたカシメ金具７ｃ６を固着する際は、カシメ金具７ｃ６の足に図１３のカシメ金具７ｃ７をかぶせて、これをハンマー等で叩いて固着してもよい。図１４に示した実施の形態においては、このカシメ金具７ｃ７を用いている。
また、ニ軸型回転式キーホルダー７ｃを中央片の内側上に固着する際は、左側に固着する場合は、その円周穴７ｃ３の位置を１１時の方向に、右側に固着する場合は、その円周穴７ｃ３の位置を１時の方向にして、それぞれ固着している。
以上が請求項６の本発明の実施の形態である。
【００３７】
ここで、請求項１、請求項２、請求項３、請求項４、及び請求項６すべてに共通する本発明の実施の形態について述べる。
キーケース本体の材質は、天然皮革が最も適しており、次に適するのは合成皮革、合成樹脂等である。
その際心材として、厚紙、接着芯やスライサー等の合成繊維や合成樹脂等を、内部や内側に用いてもよい。
またこれらの心材は、キーケース本体１ｘにおける中央片左帯部２ｃ及び中央片右帯部２ｅの補強材として、外装材１ｙと内装材１ｚとの間に挟んで用いてもよい。
尚、キーケース本体に用いる接着剤の種類は、酢酸ビニル樹脂エマルジョン接着剤等の水分散系接着剤や、クロロプレンゴム系接着剤等の合成ゴム系接着剤が、最も適している。ただしキーケース本体１ｘの場合は、図10に示したすべての斜線領域は除外する。
これらのキーケース本体のコバの仕上げ方には、鑢や鉋で滑らかにした後、コバ用の仕上げ剤やワックスを塗って磨き上げる方法、若しくは素材を内側に折り返して縫い付けるへり返しと呼ばれる方法を用いている。
開閉部材は、バネホック、コバホック、マグネットホック、面ファスナー等が適しており、その他にネオジム磁石等の両面マグネットを内蔵して固着する事も可能である。以上が本発明の実施の形態である。
【実施例１】
【００３８】
請求項３のキーケース本体１ｘの加工方法の実施例を、以下に三例述べる。すべて図８、図９、及び図１０を使って説明する。
第一例。厚さが１ｍｍほどであり、植物タンニンなめしを行っていて、かつ仕上げは施していない牛革であるヌメ革を、内装材１ｚとして用い、厚さ１．０ｍｍほどのラム革を外装材１ｙとして用いた場合、これらのやわらかい素材の組み合わせにおいては、中央片中帯部２ｄの加工は必要ない。上端部２ｘ１及び下端部２ｘ２を除いて、この中央片中帯部２ｄは接着せず、中央片左帯部２ｃと中央片右帯部２ｅに対しては、クロロプレンゴム系接着剤等の合成ゴム系接着剤、若しくは酢酸ビニル樹脂エマルジョン接着剤等の水分散系接着剤を用いる。なお外装材１ｙ及び内装材１ｚは、接着前に予め、それぞれ中央片左帯部２ｃと中央片右帯部２ｅに対して、皮革用の硬化剤を塗り硬化させておく。この際、左折返し片３ｘ及び右折返し片４ｘにも同様に硬化剤を用いる。ただし、硬化剤による変色が起きるので黒色の素材を用いるか、若しくは素材を黒く着色する必要がある。
【実施例２】
【００３９】
第二例。厚さ１．５ｍｍのサドルレザーを外装材１ｙとし、厚さ１．０ｍｍの豚革を内装材１ｚとして用いた場合、中央片中帯部２ｄを柔らかくするために、あらかじめ外装材１ｙの中央片中帯部２ｄにクリッカーやプレス機を用いて、エンボス加工などの型押し加工を行っておく。これにより中央片中帯部２ｄの外装材１ｙの表面に、上端から下端に渡って、縦方向に沿った直線状の数本の窪みとして、型押し加工部分１１を設けるのである。この際、外装材１ｙの折り目部分３ｘ２ｘ及び折り目部分４ｘ２ｘにも、同様の型押し加工によって型押し加工部分１２を設けておく。その後中央片全体をクロロプレンゴム系接着剤等の合成ゴム系接着剤で内装材１ｚと固着する。
尚、図２４に示すごとく、外装材１ｙの表面に金属製の定規１０をあて、これに沿って筆先が丸い鉄筆９を押し引いて、手作業で型をつけてもよい。
【実施例３】
【００４０】
第三例。厚さ１．８ｍｍの馬革であるコードバンを外装材とし、厚さ１．５ｍｍのラム革を内装材とした場合、中央片中帯部２ｄに対して、上端部２ｘ１及び下端部２ｘ２を除く、図10の当該斜線領域の外装材のコードバンの裏面を、０．８ｍｍ程度になるまで削って薄くする。この際、折り目部分３ｘ２ｘ及び折り目部分４ｘ２ｘ対しても、同様にその斜線領域を削って薄くする。
これらの斜線領域に対しては接着しないか、天然ゴム系の接着剤を使用する。
【符号の説明】
【００４１】
１  キーケース本体、１ｓ  キーケース本体、１ｒ  キーケース本体、１ｘ  キーケース本体、１ｙ  外装材、１ｚ  内装材、２  中央片、２ｓ  中央片、
２ｒ  中央片、２ｘ  中央片、２ｘ１  上端部、２ｘ２  下端部、２ａ  中央左台片、２ｂ  中央右台片、２ｃ  中央片左帯部、２ｄ  中央片中帯部
、２ｅ  中央片右帯部、２ｆ  中央台片、２ｆ１  切込み部分、２ｆ２  切り抜き部分、３  左折返し片、３ｓ  左折返し片、３ｒ  左折返し片、３ｘ  左折返し片、
３ａ左折返し台片、３ａ２  左折返し台片、３ａ３  左折返し台片、３ｘ２ｘ  折り目部分、４ 右折返し片、４ｓ  右折返し片、４ｒ  右折返し片、
４ｘ  右折返し片、４ａ  右折返し台片、４ａ２  右折返し台片、４ａ３  右折返し台片、４ｘ２ｘ  折り目部分、５  縫い糸、６ａ１  バネホック、
６ａ２  バネホック、６ｂ１  マグネットホック、６ｂ２  マグネットホック、６ｃ  両面マグネット、６ｄ１  面ファスナー、６ｄ２  面ファスナー、  
７ａ  四角型鍵の吊り下げ部材、７ａ１  フック金具、７ａ２  カシメ金具、７ａ３  カシメ金具、７ｂ  回転式キーホルダー、
７ｃ  二軸型回転式キーホルダー、７ｃ１  回転式キーホルダー本体、７ｃ２  中心穴、７ｃ３  円周穴、７ｃ４  カシメ金具、７ｃ５  カシメ金具、７ｃ６  カシメ金具、７ｃ７  カシメ金具、７ｃ８  リング金具、７ｃ９  フック金具、７ｃ１０  円周部側面の溝、８  Ｌ型プレート、９  鉄筆、１０  金属製の定規、１１  型押し加工部分、
１２  型押し加工部分
【図１】
0005466158.tif 000002
【図２】
0005466158.tif 000003
【図３】
0005466158.tif 000004
【図４】
0005466158.tif 000005
【図５】
0005466158.tif 000006
【図６】
0005466158.tif 000007
【図７】
0005466158.tif 000008
【図８】
0005466158.tif 000009
【図９】
0005466158.tif 000010
【図１０】
0005466158.tif 000011
【図１１】
0005466158.tif 000012
【図１２】
0005466158.tif 000013
【図１３】
0005466158.tif 000014
【図１４】
0005466158.tif 000015
【図１５】
0005466158.tif 000016
【図１６】
0005466158.tif 000017
【図１７】
0005466158.tif 000018
【図１８】
0005466158.tif 000019
【図１９】
0005466158.tif 000020
【図２０】
0005466158.tif 000021
【図２１】
0005466158.tif 000022
【図２２】
0005466158.tif 000023
【図２３】
0005466158.tif 000024
【図２４】
0005466158.tif 000025